(57)【特許請求の範囲】
【請求項１】
遊技媒体受皿に放出された遊技媒体を貯留するようにした遊技機の不正監視システムであって、
前記遊技機に配置され、前記遊技機の少なくとも遊技媒体受皿部位を撮像範囲に含めて常時映像を記録する撮像装置と、
前記遊技媒体受皿に貯留した遊技媒体の排出路に配置され、遊技媒体の通過を検知する検知信号を発生する賞球検知センサーと、
前記排出路における前記賞球検知センサーの上流側の位置あるいは下流側の位置に配置され、前記賞球検知センサーの下流側から上流側への遊技媒体の逆行を阻止する逆止機構と、
を有し、
前記賞球検知センサーから、前記検知信号として、遊技媒体が前記逆止機構によって逆行が阻止されて停止したことを示す異常信号が送出されたとき、この異常信号を検知した時点の前後の前記撮像装置により撮像した画像データを記録保持することを特徴とする遊技機の不正監視システム。
【請求項２】
前記撮像装置により撮像した画像データの記録保存をメモリーカードで行うようにしたことを特徴とする請求項１記載の遊技機の不正監視システム。
【請求項３】
前記撮像装置をパチンコ遊技機の玉貸機に配設したことを特徴とする請求項１記載の遊技機の不正監視システム。
【請求項４】
前記撮像装置をスロット遊技機のメダル貸機に配設したことを特徴とする請求項１記載の遊技機の不正監視システム。
【発明の詳細な説明】
【技術分野】
【０００１】
本発明は、遊技機において、遊技媒体を計数するための検知センサーなどに対する不正行為を撮像装置により撮像し、不正行為を確実に把握できるようにし、セキュリティ性を向上するようにした不正監視システムに関するものである。
【背景技術】
【０００２】
例えば、遊技場におけるパチンコ遊技機において、遊技者が獲得した賞球は賞球容器に貯留され、これを賞球計数装置あるいは景品交換所へ運び、所望の景品と交換するようにしている。ところが、賞球の獲得量が大きい場合は、これに比例して重量が嵩み運搬作業に大きな労力を必要とするものであった。また、賞球が賞球容器に貯留されていると、この賞球はパチンコ遊技機の稼動対象とはならなくなることから、遊技場の賞球の総量が増加するという問題があった。
【０００３】
そこで、遊技者が獲得した賞球をパチンコ遊技機の背面に誘導して排出するとともに、同時に賞球の数を計数してその計数値を記録したカードを発券機から遊技者に提供し、遊技者がそのカードを景品交換所へ提出するようにしたシステムが提案されている。このようなシステムによれば、遊技者は重い賞球容器を運ぶ手間が省けるとともに、遊技場の賞球の総量を少なくできるという利点が得られる。
【０００４】
したがって、かかるシステムの場合は、賞球をパチンコ遊技機の背面に誘導する構成、およびパチンコ遊技機の背面で賞球を計数する機能が必要となる。これらの機能要素はパチンコ遊技機とは別途に配設されるものであり、通常、賞球受皿に開口して接続された樋状の誘導手段により賞球をパチンコ遊技機の背面へ導くようにしている（例えば、特許文献１）。
【特許文献１】実用新案登録第２５９６０００号公報
【発明の開示】
【発明が解決しようとする課題】
【０００５】
上記特許文献１に開示された構成では、賞球受皿に賞球を計数装置へ導く案内腕が接続されており、この案内腕の排出ノズルから落下する賞球を検知して計数するようにしている。賞球を検知する検知センサーは、金属である賞球を電気的に検知するものが採用されており、このような構成の場合、検知センサーを外部から意図的に作動し、計数値を歩進させる不正操作が可能となる。
【０００６】
即ち、図９に示すように従来の賞球回収装置の賞球受皿１００には、賞球Ｂが流入する開口部１００ａに賞球誘導樋１０１が接続され、この賞球誘導樋１０１の先端のノズル部１０１ａから流出した賞球Ｂが賞球検知センサー１０２により検知されて計数装置により計数される。このように構成される賞球誘導樋１０１は賞球Ｂが円滑に流れ、玉詰まりにより賞球Ｂの流れが停止してしまうなどの不具合が発生しないようにしなければならない。
【０００７】
このため、賞球誘導樋１０１は賞球検知センサー１０２に至るまでの間が極力緩いスロープであることが望ましいことになる。したがって、このように構成される賞球回収装置では、賞球受皿１００の開口部１００ａからノズル部１０１ａまでに障害となるものが介在しないため、同図に示すように、先端に賞球Ｂに擬した擬似賞球ＦＢを備える金属棒状体Ｗが容易に差し込まれてしまうことになる。
【０００８】
このように金属棒状体Ｗを差し込んだ不正行為者は、この金属棒状体Ｗの先端の擬似賞球ＦＢを賞球検知センサー１０２の部分で往復動させ、賞球Ｂが通過する仮想の状態を現出し、計数装置を作動して計数を歩進させることになる。かかる不正行為は、賞球受皿１００から賞球検知センサー１０２まで円滑な流路としなければならないことによるもので、このような不正行為を効果的に監視できる手段が望まれているのが実情である。
【０００９】
さらに、このような不正行為が実行された場合、その実行行為、即ち、金属棒状体Ｗを操作している実行者の手許や上半身の画像データがあれば不正行為の挙証が容易となり、防犯上の効果が大きいものとなる。ところが、一般的な撮像装置は大掛かりなものとなり、しかも個々のパチンコ遊技機に設けた撮像装置を遊技場監視装置に配線接続し、全てのパチンコ遊技機を同時にモニター監視することは現実には不可能であり、合理的な解決手段が必要であった。
【課題を解決するための手段】
【００１０】
そこで本発明は以下に述べる手段により上記課題を解決するようにした。即ち、請求項１記載の発明は、
遊技媒体受皿に放出された遊技媒体を貯留するようにした遊技機の不正監視システムであって、
前記遊技機に配置され、前記遊技機の少なくとも遊技媒体受皿部位を撮像範囲に含めて常時映像を記録する撮像装置と、
前記遊技媒体受皿に貯留した遊技媒体の排出路に配置され、遊技媒体の通過を検知する検知信号を発生する賞球検知センサーと、
前記排出路における前記賞球検知センサーの上流側の位置あるいは下流側の位置に配置され、前記賞球検知センサーの下流側から上流側への遊技媒体の逆行を阻止する逆止機構と、
を有し、
前記賞球検知センサーから、前記検知信号として、遊技媒体が前記逆止機構によって逆行が阻止されて停止したことを示す異常信号が送出されたとき、この異常信号を検知した時点の前後の前記撮像装置により撮像した画像データを記録保持することを特徴とする。
【００１１】
請求項２記載の発明では、請求項１記載の遊技機の不正監視システムにおいて、撮像装置により撮像した画像データの記録保存をメモリーカードで行うようにする。
【００１２】
請求項３記載の発明では、請求項１記載の遊技機の不正監視システムにおいて、撮像装置をパチンコ遊技機の玉貸機に配設する。
【００１３】
請求項４記載の発明では、請求項１記載の遊技機の不正監視システムにおいて、撮像装置をスロット遊技機のメダル貸機に配設する。
【発明の効果】
【００１４】
本発明によれば、遊技媒体検知センサーを誤動作させるような不正行為があった場合、この不正行為が検知された時点から過去に遡った所定時間、撮像装置により撮像した画像データを記録保持するようにしたので、不正行為の映像記録が可能となる。そして、撮像データは、個々の遊技機の撮像装置のメモリーカードに記録保持されるので、不正行為があった場合は、このメモリーカードの画像データを再生することにより実行行為の認証ができ、全ての遊技機を集中管理することなく個々の遊技機の防犯対策を確実に行うことができる。
【発明を実施するための最良の形態】
【００１５】
以下、本発明の実施の態様を図に基づいて詳細に説明する。なお、本発明は、パチンコ遊技機およびスロット遊技機の何れにも実施可能であるが、パチンコ遊技機を実施例として以下に説明する。
【００１６】
図１は、本発明を実施した賞球誘導樋Ａを備えるパチンコ遊技機Ｐを示すもので、パチンコ遊技機Ｐの側辺には玉貸機Ｃが配設される。賞球誘導樋Ａは、その上流側が賞球受皿１０に連設され、下流側が玉貸機Ｃ内に臨むように構成されている。また、前記賞球受皿１０には図２に示すように、中央に向かう下り勾配の傾斜面１１が形成されており、底部には賞球誘導樋Ａに向かう下り勾配の案内溝１２が形成されている。したがって、パチンコ遊技機Ｐの賞球貯留部Ｐ１に貯留した賞球Ｂは、排出レバーＬＢを操作することにより賞球受皿１０に放出され、案内溝１２に導かれて賞球誘導樋Ａへ流下する。
【００１７】
賞球誘導樋Ａは、流下する賞球Ｂをパチンコ遊技機Ｐの背面に向けて誘導できるように形成されており、側壁２０の間に仕切壁２１が形成され、底面が下り勾配の２条の賞球流路２２が形成されている。なお、この賞球誘導樋Ａの流下開口部２３は玉貸機Ｃの開口部と一致するように構成し、ネジ止めなどの適宜手段により固定され着脱が可能となるようにしている。したがって、賞球誘導樋Ａに誘導された賞球Ｂは流下開口部２３からパチンコ遊技機Ｐの背面に流出し、賞球Ｂの回収が行われることになる。
【００１８】
前記賞球誘導樋Ａの賞球流路２２の適宜位置には、図３に示すように賞球Ｂの通過を検知する賞球検知センサー２４が配置されており、通孔２４ａを賞球Ｂが通過する毎に計数装置５０へ信号を送出するようにしている。この賞球検知センサー２４は、コイルセンサー、フォトセンサー、磁気センサーなど適宜のものを採用することができる。
【００１９】
図３において、符号３０は逆止機構であり、回動軸３１の端部が側壁２０と仕切壁２１で軸支され、垂下する逆止片３２と起立する係止片３３を一体に備える。逆止機構３０はこのように構成され、逆止片３２の質量を係止片３３より大きくしてあることから、逆止片３２は賞球流路２２内に垂下した状態となり、定常状態がストッパー４０に係止片３３が当接して保たれる。なお、同図に示すように逆止片３２に凹欠部３２ａを形成しておくことにより、逆止片３２の揺動量を小さくすることができることから、賞球検知センサー２４に対し逆止機構３０を極力接近させることができ、また、賞球Ｂを賞球流路２２の中心へ導く作用が得られる。
【００２０】
図４は、このように構成された逆止機構３０および賞球検知センサー２４を賞球Ｂが通過する態様を示したもので、図４（Ａ）に示すように賞球流路２２を流下してきた賞球Ｂは、逆止機構３０の逆止片３２に接触し、その頭頂部で図４（Ｂ）に示すように押し上げて前進する。そして、図４（Ｃ）に示すように賞球Ｂが賞球検知センサー２４に進入する段階に至ると、賞球Ｂと逆止片３２との係接が解除し、逆止機構３０は定常状態に復帰する。このようにして、賞球Ｂが図４（Ｄ）に示すように賞球検知センサー２４を通過すると、該賞球検知センサー２４から計数装置５０に検知信号が出力されて計数が行われる。
【００２１】
図５は、本発明の上記構成において、擬似賞球ＦＢを備える金属棒状体Ｗが挿入され不正行為が行われた場合の態様を示すもので、図５（Ａ）に示すように逆止機構３０を通過した擬似賞球ＦＢが図５（Ｂ）に示すように引き戻されると、擬似賞球ＦＢは逆止機構３０の逆止片３２に当接して逆行が阻止される。かかる状態に至ると、賞球検知センサー２４から出力される検知信号の波形が大きく崩れることになる。
【００２２】
即ち、賞球Ｂが通常の状態で賞球検知センサー２４を通過すると、該賞球検知センサー２４から出力される検知信号Ｓは図６（Ａ）に示すように、賞球Ｂの通過に伴って増減する波形となる。しかしながら、擬似賞球ＦＢが図５（Ｂ）に示すように引き戻されると、擬似賞球ＦＢは逆止片３２に当接して逆行が阻止されて停止するため、賞球検知センサー２４から出力される信号Ｓは図６（Ｂ）に示すように、図６（Ａ）のような尖鋭な波形とはならない。
【００２３】
これは、通常の状態で賞球Ｂが賞球検知センサー２４を通過した場合は、その通過速度に比例した信号が出力されるが、不正行為による場合は、出力が継続されるような不自然な信号波形となる。したがって、計数装置５０に波形整形回路、比較回路などを備えておくことにより、不自然な信号波形が到来した場合は、これを不正行為と判断して計数の続行を停止したり、警報を発することが可能となる。
【００２４】
図７は本発明の別実施例を示すもので、逆止機構３０を賞球検知センサー２４の下流側に設けた状態を示す。同構成において不正行為が行われた場合は、図７（Ａ）に示すように賞球流路２２を進入してきた擬似賞球ＦＢは、図７（Ｂ）に示すように賞球検知センサー２４を通過する。そして、擬似賞球ＦＢが更に進入すると、その頭頂部で図７（Ｃ）に示すように擬似賞球ＦＢが逆止機構３０の逆止片３２に接触して押し上げて前進する。
【００２５】
このようにして、図７（Ｄ）に示すように逆止機構３０の下流側に進入した擬似賞球ＦＢは、同図に示すように上流側に引き戻すように作用されても、擬似賞球ＦＢは逆止片３２に当接して逆行が阻止されて停止するため、賞球検知センサー２４を完全に作動させないようにすることができる。
【００２６】
なお、上記の説明では、賞球検知センサー２４の出力信号により賞球Ｂに計数を行うとともに、図６に示す信号波形を判断して不正行為を判断するようにしているため、この賞球検知センサー２４は不正検知手段を兼ねていることになるが、このような処理によらず、不正行為を検出するセンサーを別設するようにしてもよい。
【００２７】
つぎに本発明では、図１に示すように玉貸機（メダル貸機）Ｃの上部に撮像装置６０を内蔵するようにしている。この撮像装置６０は図８に示すように配線基板ＰＢ上に撮像装置を構成するためのＣＰＵ６４などの機能部品とともに、ＣＣＤ撮像素子６１、メモリーカード６２およびこのメモリーカード６２のスロットコネクタ６３が実装されている。
【００２８】
前記ＣＣＤ撮像素子６１のレンズ部分は、図１に示すように玉貸機Ｃの上部から外部に臨み、これ以外の部分は玉貸機Ｃの内部に収容されている。なお、ＣＣＤ撮像素子６１のレンズ部分の焦点方向は斜め下方となるように設定し、少なくとも賞球受皿１０が撮像範囲に入り、遊技者の上半身も撮像範囲に入るのが望ましい。
【００２９】
撮像装置６０は、ＣＣＤ撮像素子６１が３０万画素相当で、１０フレーム／１秒で合計７分ほどの撮影が可能となるメモリーカード６２を選定する。そしてこのメモリーカード６２には最先の画像データを消去しつつ実時間上の画像データを書き込むようにする。即ち、異常を検知していない定常状態では、メモリーカード６２には過去に遡った７分の画像データが常に記憶保持されていることになる。
【００３０】
かかる状態において、前述したように不正検知手段から不正検知信号を撮像装置６０が入力すると、その時点から５分間撮影を継続した後、撮影を中断するコマンドが出力され、画像データのメモリーカード６２への記憶保持が中断される。このようにメモリーカード６２への画像データの記憶保持の制御を行うことにより、メモリーカード６２には不正行為が開始された時点の前２分と後５分の画像データが記憶保持されることになる。
【００３１】
したがって、遊技場監視装置からは、不正検知信号が知らせる遊技機Ｐの台番号に基づいて当該台番号の遊技機Ｐの撮像装置６０のメモリーカード６２をアクセスすることにより、不正行為の状況を確認することが可能となる。また、メモリーカード６２をスロットコネクタ６３から抜き取り、再生装置により画像を再生することも可能であり、メモリーカード６２自体を挙証の用に供することも可能となる。
【００３２】
以上詳細に説明したように本発明によれば、配線基板にユニット構成された撮像装置を玉貸機に容易に組み込むことができるので、システムが大掛かりとならず個々の遊技機の不正監視を有効に行うことができるなど、本発明特有の効果を奏する。
【図面の簡単な説明】
【００３３】
【図１】本発明を実施したパチンコ遊技機を示す斜視図である。
【図２】不正防止装置の実施状態を示す斜視図である。
【図３】不正防止装置の要部の構成を示す斜視図である。
【図４】不正防止装置の機能の態様を説明する図である。
【図５】不正防止装置の機能の態様を説明する図である。
【図６】賞球検知センサーから出力される検知信号の態様を説明する図である。
【図７】不正防止装置の別実施例の態様を示す図である。
【図８】本発明の撮像装置概要を示す斜視図である。
【図９】従来の構成を示す斜視図である。
【符号の説明】
【００３４】
Ａ・・・・・・賞球誘導樋
Ｂ・・・・・・賞球
Ｃ・・・・・・玉貸機（メダル貸機）
Ｐ・・・・・・パチンコ遊技機
１０・・・・・賞球受皿
１１・・・・・傾斜面
１２・・・・・案内溝
２０・・・・・側壁
２１・・・・・仕切壁
２２・・・・・賞球流路
２３・・・・・流下開口部
２４・・・・・賞球検知センサー
３０・・・・・逆止機構
４０・・・・・ストッパー
５０・・・・・計数装置
６０・・・・・撮像装置
６１・・・・・ＣＣＤ撮像素子
６２・・・・・メモリーカード
６３・・・・・スロットコネクタ
【図１】
0005437584.tif 000002
【図２】
0005437584.tif 000003
【図３】
0005437584.tif 000004
【図４】
0005437584.tif 000005
【図５】
0005437584.tif 000006
【図６】
0005437584.tif 000007
【図７】
0005437584.tif 000008
【図８】
0005437584.tif 000009
【図９】
0005437584.tif 000010